(57)【要約】【課題】  製造や輸送などに要する費用を軽減することを可能にする、仕切り機能付き段ボール箱を提供する。【解決手段】  直方体状の段ボール箱において、第１のフラップ４１および第２のフラップ４２の少なくとも一方に、幅方向に延びる切り取り部４１１、４２１が形成され、この切り取り部４１１、４２１に沿って切り取られた仕切板４１２、４２２を収容空間Ｓ内に配置することで、収容空間Ｓ内が仕切られる。【選択図】  図１
2015229521.tif 000002
【特許請求の範囲】
【請求項１】
直方体状の収容空間が形成され、前記収容空間を仕切る機能を備えた、仕切り機能付き段ボール箱であり、
底面部と、第１の側面部と、該第１の側面部と対向する第２の側面部と、前記第１の側面部に隣接する第３の側面部と、前記第３の側面部と対向する第４の側面部と、前記第１の側面部に対して折り曲げ自在な第１のフラップと、前記第２の側面部に対して折り曲げ自在な第２のフラップと、前記第３の側面部に対して折り曲げ自在な第３のフラップと、前記第４の側面部に対して折り曲げ自在な第４のフラップと、を備え、
前記第３のフラップと前記第４のフラップとを閉じることで、上部開口が塞がれるように前記第３のフラップと前記第４のフラップとが形成され、
前記第１のフラップおよび前記第２のフラップの少なくとも一方に、幅方向に延びる切り取り部が形成され、該切り取り部に沿って切り取られた仕切板を前記収容空間内に配置することで、前記収容空間内が仕切られる、
ことを特徴とする仕切り機能付き段ボール箱。
【請求項２】
前記第１のフラップおよび前記第２のフラップの双方に前記切り取り部が形成され、２つの前記仕切板を高さ方向に交差させて組み付け可能で、組み付けた前記仕切板を収容空間内に配置することで、前記収容空間が４つの空間に仕切られる、
ことを特徴とする請求項１に記載の仕切り機能付き段ボール箱。
【請求項３】
前記第３のフラップと前記第４のフラップとを閉じた際に、前記第３のフラップの自由端部と前記第４のフラップの自由端部とが重なり、かつ、前記第３のフラップの自由端部と前記第４のフラップの自由端部とが係合するように、前記第３のフラップと前記第４のフラップとが形成されている、
ことを特徴とする請求項１または２のいずれか１項に記載の仕切り機能付き段ボール箱。
【請求項４】
前記第１の側面部と前記第２の側面部と前記第３の側面部と前記第４の側面部とに、幅方向に延びる折り曲げ部が形成され、該折り曲げ部に沿って前記第１のフラップと前記第２のフラップと前記第３のフラップと前記第４のフラップとが折り曲げ可能となっている、
ことを特徴とする請求項１から３のいずれか１項に記載の仕切り機能付き段ボール箱。
【請求項５】
前記第１のフラップの側縁と、該側縁と隣接する前記第３のフラップの側縁とを仮止めし、切り離し自在な第１の仮止め部と、
前記第２のフラップの側縁と、該側縁と隣接する前記第４のフラップの側縁とを仮止めし、切り離し自在な第２の仮止め部と、
を備えることを特徴とする請求項１から４のいずれか１項に記載の仕切り機能付き段ボール箱。
【請求項６】
前記底面部が折り畳み自在で、該底面部を折り畳むことで、前記第１の側面部と前記第３の側面部とが前記第２の側面部と前記第４の側面部とに重なる、
ことを特徴とする請求項１から５のいずれか１項に記載の仕切り機能付き段ボール箱。
【発明の詳細な説明】
【技術分野】
【０００１】
この発明は、段ボール箱に関し、特に、収容空間・内部空間を仕切る機能を備えた、仕切り機能付き段ボール箱に関する。
【背景技術】
【０００２】
従来から、収容空間を仕切れるようにした仕切板付段ボール箱が知られている（例えば、特許文献１参照。）。この仕切板付段ボール箱は、段ボール箱本体とは別に、仕切板を備え、組み立てた段ボール箱の収容空間内に仕切板を配置して、収容空間を仕切ることで、収容物同士の接触を防止・抑制するものである。
【先行技術文献】
【特許文献】
【０００３】
【特許文献１】特開２０１３−１４１９９２号公報
【発明の概要】
【発明が解決しようとする課題】
【０００４】
ところで、上記のような仕切板付段ボール箱では、段ボール箱本体と仕切板とが別体であるため、段ボール箱本体と仕切板とをそれぞれ別個に製造し、保管や輸送などを行わなければならず、供給者・製造者にとって多大な労力や費用を要する。また、この仕切板付段ボール箱の使用者にとっても、段ボール箱本体と仕切板とをそれぞれ別個に保管、管理し、使用する際に組み合わせなければならないため、多大な労力や費用を要する。
【０００５】
そこでこの発明は、製造や輸送などに要する費用を軽減することを可能にする、仕切り機能付き段ボール箱を提供することを目的とする。
【課題を解決するための手段】
【０００６】
上記課題を解決するために、請求項１の発明は、直方体状の収容空間が形成され、前記収容空間を仕切る機能を備えた、仕切り機能付き段ボール箱であり、底面部と、第１の側面部と、該第１の側面部と対向する第２の側面部と、前記第１の側面部に隣接する第３の側面部と、前記第３の側面部と対向する第４の側面部と、前記第１の側面部に対して折り曲げ自在な第１のフラップと、前記第２の側面部に対して折り曲げ自在な第２のフラップと、前記第３の側面部に対して折り曲げ自在な第３のフラップと、前記第４の側面部に対して折り曲げ自在な第４のフラップと、を備え、前記第３のフラップと前記第４のフラップとを閉じることで、上部開口が塞がれるように前記第３のフラップと前記第４のフラップとが形成され、前記第１のフラップおよび前記第２のフラップの少なくとも一方に、幅方向に延びる切り取り部が形成され、該切り取り部に沿って切り取られた仕切板を前記収容空間内に配置することで、前記収容空間内が仕切られる、ことを特徴とする。
【０００７】
請求項２の発明は、請求項１に記載の仕切り機能付き段ボール箱において、前記第１のフラップおよび前記第２のフラップの双方に前記切り取り部が形成され、２つの前記仕切板を高さ方向に交差させて組み付け可能で、組み付けた前記仕切板を収容空間内に配置することで、前記収容空間が４つの空間に仕切られる、ことを特徴とする。
【０００８】
請求項３の発明は、請求項１または２に記載の仕切り機能付き段ボール箱において、前記第３のフラップと前記第４のフラップとを閉じた際に、前記第３のフラップの自由端部と前記第４のフラップの自由端部とが重なり、かつ、前記第３のフラップの自由端部と前記第４のフラップの自由端部とが係合するように、前記第３のフラップと前記第４のフラップとが形成されている、ことを特徴とする。
【０００９】
請求項４の発明は、請求項１から３に記載の仕切り機能付き段ボール箱において、前記第１の側面部と前記第２の側面部と前記第３の側面部と前記第４の側面部とに、幅方向に延びる折り曲げ部が形成され、該折り曲げ部に沿って前記第１のフラップと前記第２のフラップと前記第３のフラップと前記第４のフラップとが折り曲げ可能となっている、ことを特徴とする。
【００１０】
請求項５の発明は、請求項１から４に記載の仕切り機能付き段ボール箱において、前記第１のフラップの側縁と、該側縁と隣接する前記第３のフラップの側縁とを仮止めし、切り離し自在な第１の仮止め部と、前記第２のフラップの側縁と、該側縁と隣接する前記第４のフラップの側縁とを仮止めし、切り離し自在な第２の仮止め部と、を備えることを特徴とする。
【００１１】
請求項６の発明は、請求項１から５に記載の仕切り機能付き段ボール箱において、前記底面部が折り畳み自在で、該底面部を折り畳むことで、前記第１の側面部と前記第３の側面部とが前記第２の側面部と前記第４の側面部とに重なる、ことを特徴とする。
【発明の効果】
【００１２】
請求項１の発明によれば、第１のフラップや第２のフラップの切り取り部に沿って仕切板を切り取り、仕切板を収容空間内に配置することで収容空間内が仕切られる。つまり、第１のフラップや第２のフラップの一部または全部を仕切板として使用するため、本段ボール箱とは別に仕切板を設ける必要がない。このため、供給者・製造者における製造や保管、輸送などに要する労力、費用を軽減することが可能となり、また、使用者における保管や管理、使用などに要する労力、費用を軽減することが可能となる。一方、第１のフラップや第２のフラップの一部または全部を仕切板として切り取っても、第３のフラップと第４のフラップとを閉じることで上部開口が塞がれるため、段ボール箱としての機能が維持される。
【００１３】
請求項２の発明によれば、２つの仕切板を組み付けて収容空間内に配置することで、収容空間が４つの空間に仕切られるため、多くの収容空間を形成して利便性を高めることができるとともに、収容物同士の接触をより効果的に防止・抑制することが可能となる。
【００１４】
請求項３の発明によれば、第３のフラップと第４のフラップとを閉じた際に、双方の自由端部同士が重なり、かつ係合するため、第３のフラップと第４のフラップとによる上蓋としての強度・剛性が高まる。すなわち、第１のフラップや第２のフラップの一部または全部を仕切板として切り取っても、上蓋として必要な強度・剛性を維持、確保することが可能となる。しかも、第３のフラップの自由端部と第４のフラップの自由端部とが係合し離れないため、第３のフラップの自由端部と第４のフラップの自由端部とをテープなどで接合する作業を、削減することが可能となる。
【００１５】
請求項４の発明によれば、各フラップが、各側面部に対して（側面部との境界から）折り曲げ自在なだけではなく、各側面部に形成された折り曲げ部からも折り曲げ可能となっている。つまり、各フラップを折り曲げる高さ位置が複数設けられているため、収容物の高さなどに応じて折り曲げ位置を変えることで、収容物を隙間なく適正に収容することが可能となる。
【００１６】
請求項５の発明によれば、第１のフラップと第３のフラップの側縁同士が第１の仮止め部で仮止めされ、第２のフラップと第４のフラップの側縁同士が第２の仮止め部で仮止めされている。このため、使用前の保管や輸送、持ち運びなどの際に、各フラップが揺れて邪魔になることがなく、取り扱いが容易となる。一方、使用に際しては、各仮止め部を切り離すことで、各フラップを個別に折り曲げることができる。
【００１７】
請求項６の発明によれば、底面部を折り畳むことで、第１の側面部と第３の側面部とが第２の側面部と第４の側面部とに重なり、全体が１枚の板のようになるため、保管や輸送などが容易になり、保管や輸送などに要する労力、費用を軽減することが可能となる。
【図面の簡単な説明】
【００１８】
【図１】この発明の実施の形態に係る仕切り機能付き段ボール箱を示す斜視図である。
【図２】図１の仕切り機能付き段ボール箱の展開図である。
【図３】図１の仕切り機能付き段ボール箱の仕切板を組み付けた状態を示す斜視図である。
【図４】図３の仕切板を収容空間に配置した状態を示す平面図である。
【図５】図１の仕切り機能付き段ボール箱を閉じた状態を示す斜視図である。
【図６】図１の仕切り機能付き段ボール箱の底面部を示す図（図１の底面図）である。
【図７】図６の底面部を折り畳んでいる状態を示す図である。
【図８】図１の仕切り機能付き段ボール箱を折り畳んだ状態を示す正面図である。
【図９】図１の仕切り機能付き段ボール箱の仕切板を切り取った状態を示す斜視図である。
【発明を実施するための形態】
【００１９】
以下、この発明を図示の実施の形態に基づいて説明する。
【００２０】
図１〜図９は、この発明の実施の形態を示し、図１は、この実施の形態に係る仕切り機能付き段ボール箱１を示す斜視図であり、図２は、仕切り機能付き段ボール箱１の展開図である。この仕切り機能付き段ボール箱１は、直方体状の収容空間Ｓが形成され、この収容空間Ｓを仕切る機能を備えた段ボール箱であり、主として、底面部２と、長方形状の側面部３１〜３４と、長方形状のフラップ４１〜４４とを備え、直方体状の箱が形成されるようになっている。
【００２１】
ここで、この実施の形態では、仕切り機能付き段ボール箱１内に書籍（収容物）を収容する場合について主として説明する。また、収容空間Ｓは、Ｘ方向に比べてＹ方向にやや長いものとする。さらに、判りやすくするために、各図において、段ボール材の厚みを省略している。
【００２２】
底面部２は、長方形で、後述する底板部２１〜２４によって構成されている。この底面部２の第１の辺から立ち上がるように第１の側面部３１が設けられ、底面部２の第２の辺から立ち上がるように第１の側面部３１と対向する第２の側面部３２が設けられ、底面部２の第３の辺から立ち上がるように第１の側面部３１に隣接する第３の側面部３３が設けられ、底面部２の第４の辺から立ち上がるように第３の側面部３３と対向する第４の側面部３４が設けられている。これらの側面部３１〜３４の隣接する側縁同士は接続され、連続側面となっている。
【００２３】
第１のフラップ４１は、第１の側面部３１の上端縁から延びるように形成され、第１の側面部３１との境界には、全幅にわたって水平・幅方向に延び厚み方向に凹状に潰された第１の折り曲げ部５１が形成され、この第１の折り曲げ部５１から第１のフラップ４１が第１の側面部３１に対して折り曲げ自在となっている。同様に、第２のフラップ４２は、第２の側面部３２の上端縁から延びるように形成され、第２の側面部３２との境界に第１の折り曲げ部５１が形成され、この第１の折り曲げ部５１から第２の側面部３２に対して折り曲げ自在となっている。
【００２４】
また、第３のフラップ４３は、第３の側面部３３の上端縁から延びるように形成され、第３の側面部３３との境界に第１の折り曲げ部５１が形成され、この第１の折り曲げ部５１から第３の側面部３３に対して折り曲げ自在となっている。さらに、第４のフラップ４４は、第４の側面部３４の上端縁から延びるように形成され、第４の側面部３４との境界に第１の折り曲げ部５１が形成され、この第１の折り曲げ部５１から第４の側面部３４に対して折り曲げ自在となっている。これらのフラップ４１〜４４の高さ（第１の折り曲げ部５１から上縁までの長さ）は、同じに設定されている。
【００２５】
また、第１のフラップ４１の第３のフラップ４３側の側縁と、この側縁と隣接する第３のフラップ４３の側縁とは、短片状の第１の仮止め部６１によって仮止め（仮接続）され、この第１の仮止め部６１は人手で切り離し自在（切断自在）となっている。同様に、第２のフラップ４２の第４のフラップ４４側の側縁と、この側縁と隣接する第４のフラップ４４の側縁とは、短片状の第２の仮止め部６２によって仮止めされ、この第２の仮止め部６２は人手で切り離し自在となっている。
【００２６】
このような仮止め部６１、６２は、それぞれ上下２箇所に設けられ、下方の仮止め部６１、６２は、第１の折り曲げ部５１の直上に設けられている。また、各側面部３１〜３４に対して各フラップ４１〜４４が真っ直ぐ延びた状態で、仮止め部６１、６２で仮止めされている。ここで、第１のフラップ４１の側縁と第４のフラップ４４の側縁、および、第２のフラップ４２の側縁と第３のフラップ４３の側縁は、仮止めされておらず、分離されている。
【００２７】
また、第１のフラップ４１の下部に、全幅にわたって水平・幅方向に延びる切り取り部４１１が形成されている。この切り取り部４１１は、スリット（長穴）が複数連なって形成され、下方の第１の仮止め部６１の上端部と同位置に配置されている。そして、第１のフラップ４１の切り取り部４１１よりも上部を第１の仕切板（仕切板）４１２として、切り取り部４１１に沿って切り取れる（切り離させる）ようになっている。
【００２８】
同様に、第２のフラップ４２の下部に、全幅にわたって水平・幅方向に延びる切り取り部４２１が形成されている。この切り取り部４２１は、スリットが複数連なって形成され、下方の第２の仮止め部６２の上端部と同位置に配置されている。そして、第２のフラップ４２の切り取り部４２１よりも上部を第２の仕切板（仕切板）４２２として、切り取り部４２１に沿って切り取れるようになっている。
【００２９】
このような仕切板４１２、４２２は、収容空間Ｓ内に配置することで、収容空間Ｓ内を平面上で仕切れるようになっている。すなわち、仕切板４１２、４２２の幅Ｗは、収容空間Ｓ（第１の側面部３１、第２の側面部３２）のＸ方向の長さと同等で、仕切板４１２、４２２を収容空間Ｓ内のＸ方向の全長にわたって配置できるようになっている。また、仕切板４１２、４２２の高さＨは、後述する第２の折り曲げ部５２から底面部２までの距離よりもやや小さく設定されている。これにより、仕切板４１２、４２２を収容空間Ｓ内に配置した際に、収容空間Ｓ内を高さ方向（Ｚ方向）にできるだけ高く仕切ることができ、かつ、第２の折り曲げ部５２からフラップ４１〜４４を折り曲げても仕切板４１２、４２２を収容できるようになっている。
【００３０】
さらに、２つの仕切板４１２、４２２を高さＨ方向に交差させて組み付け可能となっている。すなわち、第１の仕切板４１２の上縁の中央から、下方に延びる長孔状の第１の組付スリット４１２ａが形成され、同様に、第２の仕切板４２２の上縁の中央から、下方に延びる長孔状の第２の組付スリット４２２ａが形成されている。そして、図３に示すように、第１の組付スリット４１２ａの開口側と第２の組付スリット４２２ａの開口側とを向かい合わせて、第１の組付スリット４１２ａに第２の仕切板４２２を挿入し、第２の組付スリット４２２ａに第１の仕切板４１２を挿入することで、２つの仕切板４１２、４２２が高さＨ方向に交差して組み付けられる。
【００３１】
このような組み付け状態では、図４に示すように、平面形状が、中央で交差した十字形状となり、組み付けた仕切板４１２、４２２を収容空間Ｓ内の中央部に配置することで、容量がほぼ等しい４つの空間に、収容空間Ｓが仕切られる。
【００３２】
また、仕切板４１２、４２２の外面には、例えば、「保護シート」という文字が印刷・標記され、フラップ４１、４２の切り取り部４１１、４２１よりも上の部分が、仕切板４１２、４２２（保護シート）として使用できることを使用者に知らせるようになっている。一方、仕切板４１２、４２２が切り取られたフラップ４１、４２の残部を、残フラップ４１３、４２３とする。
【００３３】
第３のフラップ４３と第４のフラップ４４の高さ（折り曲げ長さ）は、第３のフラップ４３と第４のフラップ４４とを閉じることで、上部開口（収容空間Ｓの上面）が塞がれるように設定され、さらに、第３のフラップ４３と第４のフラップ４４とを閉じた際に、第３のフラップ４３の自由端部４３１と第４のフラップ４４の自由端部４４１とが重なり、かつ、第３のフラップの自由端部４３１と第４のフラップの自由端部４４１とが係合するように、第３のフラップ４３と第４のフラップ４４とが形成されている。
【００３４】
すなわち、図１、図２に示すように、第３のフラップ４３と第４のフラップ４４の上端縁から所定の距離に、全幅にわたって水平・幅方向に延び厚み方向に凹状に潰された第３の折り曲げ部５３が形成され、この第３の折り曲げ部５３よりも上部が自由端部４３１、４４１となっている。また、自由端部４３１、４４１の上縁の中央から、下方に延びる係合切り込み４３１ａ、４４１ａが形成されている。そして、第３の折り曲げ部５３で自由端部４３１、４４１を折り曲げながら、図５に示すように、係合切り込み４３１ａ、４４１ａを境にして第３のフラップ４３の自由端部４３１と第４のフラップ４４の自由端部４４１とを互い違いに上下に位置させる（編み込む）ことで、自由端部４３１、４４１が係合して重なった状態で上部開口が塞がれる。
【００３５】
ここで、組付スリット４１２ａ、４２２ａおよび係合切り込み４３１ａ、４４１ａの開口端は、広く開口され、組み付けや係合しやすいようになっている。
【００３６】
また、各側面部３１〜３４の第１の折り曲げ部５１の下方には、図２、図５に示すように、全幅にわたって水平・幅方向に延び厚み方向に凹状に潰された第２の折り曲げ部（折り曲げ部）５２が形成され、この第２の折り曲げ部５２に沿って各フラップ４１〜４４（各側面部３１〜３４の一部を含む）が折り曲げ可能となっている。この第２の折り曲げ部５２は、収容物である書籍の厚み、冊数などを考慮して、想定される収容物の高さ変化に対応できる位置に形成されている。すなわち、収容物の高さが通常時の場合には、第１の折り曲げ部５１で各フラップ４１〜４４を折り曲げ、収容物の高さが低い場合には、第２の折り曲げ部５２で各フラップ４１〜４４を折り曲げる。ここで、各フラップ４１〜４４を折り曲げる際には、側面部３１〜３４の隣接する側縁同士を、第１の折り曲げ部５１から第２の折り曲げ部５２まで切り離す。
【００３７】
一方、底面部２は、折り畳み自在で、この底面部２を折り畳むことで、第１の側面部３１と第３の側面部３３とが第２の側面部３２と第４の側面部３４とに重なるようになっている。すなわち、図２に示すように、底面部２は、底板部２１〜２４で構成され、各底板部２１〜２４はそれぞれ、各側面部３１〜３４の下端縁から延びるように形成され、側面部３１〜３４との境界には、全幅にわたって水平・幅方向に延び厚み方向に凹状に潰された第４の折り曲げ部５４が形成され、この第４の折り曲げ部５４から側面部３１〜３４に対して折り曲げ自在となっている。
【００３８】
また、第１の底板部２１と第２の底板部２２は、台形状で、第３の底板部２３と第４の底板部２４は、長方形状となっており、第３の底板部２３の第２の底板部２２側および第４の底板部２４の第１の底板部２１側には、曲げ切り込み２３ａ、２４ａが形成されている。この曲げ切り込み２３ａ、２４ａは、切り込みが複数連なって形成され、第４の折り曲げ部５４の端部から斜めに延びるように形成され、曲げ切り込み２３ａ、２４ａによって仕切られた三角形状の部分が接合部２３１、２４１となっている。
【００３９】
そして、図６に示すように、第２の底板部２２の上に第３の底板部２３の接合部２３１が重なって接合・接着され、第１の底板部２１の下に第３の底板部２３の反接合部２３１側が位置し、第１の底板部２１の上に第４の底板部２４の接合部２４１が重なって接合・接着され、第２の底板部２２の下に第４の底板部２４の反接合部２４１側が位置するように組み付けられて、底面部２が構成されている。つまり、隣接する底板部２１〜２４の端部が、互い違いに上下に重なりながら底面部２が構成されている。
【００４０】
このような底板部２を広げて展開した状態では、底板部２で収容空間Ｓの下面を隙間なく覆うようになっている。また、底板部２の中央部を押し上げると、図７に示すように、底板部２１〜２４が収容空間Ｓ側に向かい、第３の側面部３３と第４の側面部３４とが接近する。さらに、底板部２１〜２４が収容空間Ｓ側に進むと、図８に示すように、第１の側面部３１と第３の側面部３３とが第２の側面部３２と第４の側面部３４とに重なるものである。この状態では、折り畳まれた底板部２が側面部３１〜３４に挟まれている。一方、第３の側面部３３と第４の側面部３４とを離すと、底板部２が展開するものである。
【００４１】
このような仕切り機能付き段ボール箱１を製造するには、まず、図２に示すように、仕切り機能付き段ボール箱１を展開した展開材を製作する。このとき、左から第４の側面部３４、第１の側面部３１、第３の側面部３３、第２の側面部３２の順に配置し、それぞれの間には、縦折り曲げ部５５１〜５５３を形成する。また、第４のフラップ４４の開放側縁の上下に第１の糊代７１を設け、第４の側面部３４の開放側縁の全長に第２の糊代７２を設ける。ここで、第１の糊代７１は、第３の折り曲げ部５３の真下と第１の折り曲げ部５１の真上に設けられ、上記の第２の仮止め部６２を構成し、第２の糊代７２には、第２の折り曲げ部５２が設けられている。また、図２は、仕切り機能付き段ボール箱１の外面側を示している。
【００４２】
次に、第１の底板部２１と第２の底板部２２とを第４の折り曲げ部５４に沿って内側（収容空間Ｓの形成側）に折り曲げ、第３の底板部２３と第４の底板部２４とを第４の折り曲げ部５４に沿って内側に折り曲げながら、接合部２３１、２４１を曲げ切り込み２３ａ、２４ａに沿って反対側・外側に折り曲げる。続いて、接合部２３１、２４１の内面側と糊代７１、７２の外面側とに接着剤を塗布し、第１の縦折り曲げ部５５１に沿って第４の側面部３４を内側に折り曲げ、さらに、第３の縦折り曲げ部５５３に沿って第２の側面部３２を内側に折り曲げて、押圧する。
【００４３】
これにより、第１の糊代７１が第２のフラップ４２に接合され、第２の糊代７２が第２の側面部３２に接合されるとともに、第４の底板部２４の接合部２４１が第１の底板部２１に接合され、第３の底板部２３の接合部２３１が第２の底板部２２に接合される。この状態では、図８に示すように、第１の側面部３１と第３の側面部３３とが第２の側面部３２と第４の側面部３４とに重なり、折り畳まれた底板部２が側面部３１〜３４に挟まれ、有底筒状の仕切り機能付き段ボール箱１が形成されるものである。
【００４４】
次に、このような構成の仕切り機能付き段ボール箱１の作用および使用方法などについて説明する。
【００４５】
まず、保管や搬送などの際には、図８に示すように、折り畳んだ状態とし、使用に際しては、第３の側面部３３（第１の側面部３１）と第４の側面部３４（第２の側面部３２）とを離して底板部２を展開し、図１に示すように、仕切り機能付き段ボール箱１を箱状にする。次に、図９に示すように、上側の第１の仮止め部６１を切り離し、第１のフラップ４１から第１の仕切板４１２を切り取り、上側の第２の仮止め部６２を切り離し、第２のフラップ４２から第２の仕切板４２２を切り取る。そして、上記のようにして、第１の仕切板４１２と第２の仕切板４２２を組み付け、図４に示すように、これを収容空間Ｓ内の中央部に配置する。これにより、収容空間Ｓが平面上で、４つのほぼ等しい空間に仕切られる。
【００４６】
ここで、収容する書籍の大きさ（平面積）や冊数などに応じて、第１の仕切板４１２のみを切り取って配置し、収容空間Ｓを２つの空間に仕切ってもよい。また、第１の仕切板４１２と第２の仕切板４２２を組み付けずに、独立して配置し、収容空間Ｓを３つの空間に仕切ってもよい。一方、収容空間Ｓを仕切る必要がない場合には、仕切板４１２、４２２を切り取らない。
【００４７】
このようにして仕切った収容空間Ｓ内に書籍を収容した後に、図５に示すように、仮止め部６１、６２を切り離して残フラップ４１３、４２３を内側（収容空間Ｓ側）に折り曲げるとともに、第３のフラップと第４のフラップとを折り曲げて、上記のようにして、それぞれの自由端部４３１、４４１係合させる。この際、書籍の厚み・高さに応じて、第１の折り曲げ部５１または第２の折り曲げ部５２で各フラップ４１〜４４を折り曲げるものである。
【００４８】
以上のように、この仕切り機能付き段ボール箱１によれば、第１のフラップ４１や第２のフラップ４２の切り取り部４１１、４２１に沿って仕切板４１２、４２２を切り取り、仕切板４１２、４２２を収容空間Ｓ内に配置することで収容空間Ｓ内が仕切られる。つまり、第１のフラップ４１や第２のフラップ４２の一部を仕切板４１２、４２２として使用するため、本段ボール箱１とは別に仕切板を設ける必要がない。このため、供給者・製造者における製造や保管、輸送などに要する労力、費用を軽減することが可能となり、また、使用者における保管や管理、使用などに要する労力、費用を軽減することが可能となる。一方、第１のフラップ４１や第２のフラップ４２の一部を仕切板４１２、４２２として切り取っても、第３のフラップ４３と第４のフラップ４４とを閉じることで上部開口が塞がれるため、段ボール箱としての機能が維持される。
【００４９】
また、２つの仕切板４１２、４２２を組み付けて収容空間Ｓ内に配置することで、収容空間Ｓが４つの空間に仕切られるため、多くの収容空間を形成して利便性を高めることができるとともに、細かく仕切られることで、書籍同士の接触をより効果的に防止・抑制することが可能となる。
【００５０】
さらに、第３のフラップ４３と第４のフラップ４４とを閉じた際に、双方の自由端部４３１、４４１同士が重なり、かつ係合するため、第３のフラップ４３と第４のフラップ４４とによる上蓋としての強度・剛性が高まる。すなわち、第１のフラップ４１や第２のフラップ４２の一部を仕切板４１２、４２２として切り取っても、上蓋として必要な強度・剛性を維持、確保することが可能となる。しかも、残フラップ４１３、４２３が残っているため、上蓋としての強度・剛性がより高くなる。また、第３のフラップ４３の自由端部４３１と第４のフラップ４４の自由端部４４１とが係合し離れないため、自由端部４３１、４４１をテープなどで接合する作業を削減することが可能となる。
【００５１】
また、各フラップ４１〜４４が、第１の折り曲げ部５１から折り曲げ自在なだけではなく、各側面部３１〜３４に形成された第２の折り曲げ部５２からも折り曲げ可能となっている。つまり、各フラップ４１〜４４を折り曲げる高さ位置が複数設けられているため、書籍・収容物の高さなどに応じて折り曲げ位置を変えることで、収容物を隙間なく適正に収容することが可能となる。
【００５２】
さらには、第１のフラップ４１と第３のフラップ４３の側縁同士が第１の仮止め部６１で仮止めされ、第２のフラップ４２と第４のフラップ４４の側縁同士が第２の仮止め部６２で仮止めされている。このため、使用前の保管や輸送、持ち運びなどの際に、各フラップ４１〜４４が揺れて邪魔になることがなく、取り扱いが容易となる。一方、使用に際しては、各仮止め部６１、６２を切り離すことで、各フラップ４１〜４４を個別に折り曲げることができる。
【００５３】
また、底面部２を折り畳むことで、第１の側面部３１と第３の側面部３３とが第２の側面部３２と第４の側面部３４とに重なり、さらに、第１のフラップ４１と第３のフラップ４３とが第２のフラップ４２と第４のフラップ４４とに重なる。これにより、段ボール箱１全体が１枚の板のようになるため、保管や輸送などが容易になり、保管や輸送などに要する労力、費用を軽減することが可能となる。
【００５４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１のフラップ４１と第２のフラップ４２の双方から仕切板４１２、４２２を切り取れるようになっているが、収容する収容物の大きさや数などに応じて、一方のみから切り取れるようにしてもよい。また、仕切板４１２、４２２を中央部で交差させて十字形状に組み付け、収容空間Ｓを容量がほぼ等しい４つの空間に仕切っているが、収容物の大きさや形状などに応じて、仕切板４１２、４２２を中央部以外で交差させて、収容空間Ｓを容量が異なる４つの空間に仕切ってもよい。
【００５５】
さらに、第１のフラップ４１や第２のフラップ４２の一部を仕切板４１２、４２２として切り取っているが、仕切り機能付き段ボール箱１に要する強度・剛性や収容物の高さなどに応じて、第１のフラップ４１や第２のフラップ４２の全部を仕切板４１２、４２２として切り取ってもよい。また、各側面部３１〜３４に対して各フラップ４１〜４４が真っ直ぐ延びた状態で、仮止め部６１、６２で仮止めされているが、各フラップ４１〜４４が各側面部３１〜３４に重なるように折り曲げられた状態で、仮止め部６１、６２で仮止めしてもよい。
【符号の説明】
【００５６】
１        仕切り機能付き段ボール箱
２        底面部
３１      第１の側面部
３２      第２の側面部
３３      第３の側面部
３４      第４の側面部
４１      第１のフラップ
４２      第２のフラップ
４３      第３のフラップ
４４      第４のフラップ
４１１、４２１  切り取り部
４１２    第１の仕切板（仕切板）
４２２    第２の仕切板（仕切板）
４３１、４４１  自由端部
４３１ａ、４４１ａ  係合切り込み
５２      第２の折り曲げ部（折り曲げ部）
６１      第１の仮止め部
６２      第２の仮止め部
Ｓ        収容空間
【図１】
2015229521.tif 000003
【図２】
2015229521.tif 000004
【図３】
2015229521.tif 000005
【図４】
2015229521.tif 000006
【図５】
2015229521.tif 000007
【図６】
2015229521.tif 000008
【図７】
2015229521.tif 000009
【図８】
2015229521.tif 000010
【図９】
2015229521.tif 000011